(57)【要約】      （修正有）【課題】電子部品の冷却性能を向上する。【解決手段】電子機器１０は、電子部品４４と、電子部品４４を収容し、電子部品４４と電気的に接続された筐体側コネクタが露出する背面２２Ｒを有する筐体２２と、を備える。また、電子機器１０は、筐体側コネクタが露出する背面２２Ｒ側に装着された状態で、筐体側コネクタに接続されるケーブル１８を収容可能な収容空間を背面２２Ｒとの間に有する設置台７０を備える。背面２２Ｒは、背面側通気口５０を有する。【選択図】図５
2017135349.tif 000002
【特許請求の範囲】
【請求項１】
電子部品と、
前記電子部品を収容し、前記電子部品と電気的に接続されたコネクタが露出する背面を有する筐体と、
前記コネクタが露出する前記背面側に装着された状態で、前記コネクタに接続されるケーブルを収容可能な収容空間を前記背面との間に有する設置台と、
を備え、
前記背面は、背面側通気口を有する、
ことを特徴とする、電子機器。
【請求項２】
前記筐体における前記コネクタが露出する面に対向する正面は、正面側通気口を有する、
ことを特徴とする、請求項１に記載の電子機器。
【請求項３】
前記設置台は、前記ケーブルを囲む側壁部を有し、
前記側壁部は、台側通気口を有する、
ことを特徴とする、請求項１又は請求項２に記載の電子機器。
【請求項４】
前記側壁部は、前記背面から離れるに従って前記設置台の中央部側へ向って傾斜する傾斜部を有し、
前記台側通気口は、前記傾斜部に位置する、
ことを特徴とする、請求項３に記載の電子機器。
【請求項５】
前記台側通気口は、前記傾斜部を該傾斜部の厚み方向に貫通した、
ことを特徴とする、請求項４に記載の電子機器。
【請求項６】
前記設置台は、前記背面と対向するとともに、外面が設置面に設置される底壁部を有し、
前記底壁部は、前記ケーブルが挿通される開口を有する、
ことを特徴とする、請求項１〜請求項５の何れか１項に記載の電子機器。
【請求項７】
前記開口は、前記底壁部の中央部、左側外周部、右側外周部、上側外周部、及び下側外周部の何れか、又は前記中央部、前記左側外周部、前記右側外周部、前記上側外周部、及び前記下側外周部の２つ以上に位置する、
ことを特徴とする、請求項６に記載の電子機器。
【請求項８】
前記設置台は、４つの前記側壁部を有し、
４つの前記側壁部の何れか、又は４つの前記側壁部の２つ以上は、前記ケーブルが挿通される開口を有する、
ことを特徴とする、請求項３〜請求項５の何れか１項に記載の電子機器。
【発明の詳細な説明】
【技術分野】
【０００１】
本発明は、電子機器に関する。
【背景技術】
【０００２】
電子部品を収容する筐体と、筐体の背面に取り付けられ、当該背面側のコネクタに接続されるケーブルを収容する設置台とを備える電子機器がある（例えば、非特許文献１参照）。
【先行技術文献】
【非特許文献】
【０００３】
【非特許文献１】AP-220-MNT-W2 Mounting Kit installation Guide、［online］、平成２６年１０月、Aruba, a Hewlett Packard Enterprise company、［平成２８年１月２６日検索］、インターネット＜URL：http://support.arubanetworks.com/Documentation/tabid/77/DMXModule/512/Command/Core_Download/Method/attachment/Default.aspx?EntryId=17223＞
【発明の概要】
【発明が解決しようとする課題】
【０００４】
ところで、電子部品が発熱する。そのため、電子機器には、電子部品を冷却する冷却性能が求められる。
【０００５】
しかしながら、筐体の背面側に設置台を取り付けると、電子部品の冷却性能が低下する可能性がある。
【０００６】
本発明は、一つの側面として、電子部品の冷却性能を向上することを目的とする。
【課題を解決するための手段】
【０００７】
１つの態様では、電子機器は、電子部品と、電子部品を収容し、電子部品と電気的に接続されたコネクタが露出する背面を有する筐体と、を備える。また、電子機器は、コネクタが露出する背面側に装着された状態で、コネクタに接続されるケーブルを収容可能な収容空間を背面との間に有する設置台と、を備え、背面は、背面側通気口を有する。
【発明の効果】
【０００８】
一つの側面として、電子部品の冷却性能を向上することができる。
【図面の簡単な説明】
【０００９】
【図１】図１は、一実施形態に係る電子機器が壁の壁面に設置された状態を、電子機器の正面側から見た斜視図である。
【図２】図２は、図１に示される電子機器を背面側から見た斜視図である。
【図３】図３は、図１に示される電子機器を示す分解斜視図である。
【図４】図４は、図１に示される筐体の背面を示す背面図である。
【図５】図５は、図１の５−５線断面図である。
【図６】図６は、図１に示される設置台を機器本体側から見た平面図である。
【図７】図７は、図１に示される電子機器の側面図である。
【図８】図８は、図３に示される筐体の側壁部を内側から見た斜視図である。
【図９】図９は、図１１の一部拡大図である。
【図１０】図１０は、図７の一部拡大図である。
【図１１】図１１は、電子機器が机の上面に設置された状態を示す図５に相当する断面図である。
【図１２】図１２は、電子機器が天井の下面に設置された状態を示す図５に相当する断面図である。
【図１３】図１３は、図１２の一部拡大図である。
【図１４Ａ】図１４Ａは、電子機器の上部を示す図５の一部拡大図である。
【図１４Ｂ】図１４Ｂは、電子機器の下部を示す図５の一部拡大図である。
【図１５】図１５は、台側通気口の変形例を示す図９に相当する断面図である。
【図１６】図１６は、台側通気口の変形例を示す図１３に相当する断面図である。
【発明を実施するための形態】
【００１０】
以下、本願が開示する技術の一実施形態について説明する。
【００１１】
＜電子機器＞
図１には、本実施形態に係る電子機器１０が、壁１２の壁面１２Ａに固定された状態が示されている。電子機器１０は、例えば、無線基地局（無線通信用アクセスポイント）とされる。図１及び図２に示されるように、電子機器１０は、機器本体２０と、機器本体２０を壁１２の壁面１２Ａ（図１参照）に設置するための設置台７０とを備える。
【００１２】
なお、電子機器１０は、壁１２に限らず、例えば、図示しない柱の側面や、後述する天井１４の下面１４Ａ（図１２参照）等に設置（固定）可能とされる。さらに、電子機器１０は、携帯可能とされ、使用場所に応じて後縦する机１６の上面１６Ａ（図１１参照）等の種々の場所に設置される。なお、壁１２の壁面１２Ａ、天井１４の下面１４Ａ、及び机１６の上面１６Ａは、設置面の一例である。また、各図に示される矢印Ｇは、重力方向（鉛直方向の下方）を示している。
【００１３】
＜機器本体＞
図３に示されるように、機器本体２０は、筐体２２と、基板（プリント基板）４２と、ヒートシンク４８と、ベースプレート４６とを有する。筐体２２は、筐体本体２４と、蓋体４０とを有する。筐体本体２４は、例えば、樹脂によって扁平な箱状に形成される。この筐体本体２４は、厚み方向を電子機器１０の高さ方向（矢印Ｈ方向）として配置される。なお、本実施形態では、電子機器１０の高さは、壁１２の壁面（設置面）１２Ａ（図５参照）からの長さとされる。
【００１４】
図４に示されるように、筐体本体２４は、底壁部２４Ｌと、４つの側壁部２４Ｓとを有する。底壁部２４Ｌの外面は、筐体２２の背面２２Ｒとされる。この背面２２Ｒの外周部には、複数の筐体側コネクタ２６が設けられる。各筐体側コネクタ２６は、背面２２Ｒに形成された開口２８から露出される。なお、筐体側コネクタ２６は、コネクタの一例である。
【００１５】
各筐体側コネクタ２６は、基板４２（図３参照）を介して電子部品４４と電気的に接続される。また、筐体側コネクタ２６には、図５に示されるように、ケーブル１８の端部に設けられたケーブル側コネクタ３０が着脱可能に接続される。このケーブル１８を介して、基板４２がインターネット回線等に接続される。なお、ケーブル１８及びケーブル側コネクタ３０は、後述する設置台７０の内部に配線される。
【００１６】
図４に示されるように、筐体２２の背面２２Ｒの外周部には、複数の引掛け部３２が形成される。各引掛け部３２には、後述する設置台７０の爪部７６（図６参照）が引っ掛けられる。
【００１７】
図１及び図２に示されるように、筐体本体２４の側壁部２４Ｓには、アンテナ用コネクタ３４及び各種のスイッチ３６等が設けられる。アンテナ用コネクタ３４には、図示しないアンテナが接続される。なお、側壁部２４Ｓの外面は、筐体２２の側面２２Ｓとされる。
【００１８】
図３に示されるように、筐体本体２４の厚み方向一方側（設置台７０と反対側）には、収容口３８が形成される。この筐体本体２４には、収容口３８を開閉する蓋体４０が着脱可能に取り付けられる。蓋体４０は、筐体本体２４の収容口３８の形状に応じた矩形の板状に形成される。また、蓋体４０の外面は、筐体２２における筐体側コネクタ２６が露出面に対向する正面２２Ｆとされる。
【００１９】
基板４２には、例えば、マイクロチップ及びメモリ等の複数の電子部品４４が実装される。この基板４２は、板厚方向を筐体２２の厚み方向として筐体２２の内部に収容される。また、基板４２は、ベースプレート４６を介して筐体２２の底壁部２４Ｌに固定される。
【００２０】
なお、電子部品４４は、電力の消費に伴って発熱する。また、基板４２の中央部４２Ａには、発熱量が多い電子部品４４が実装される。そのため、本実施形態では、基板４２の中央部４２Ａが、基板４２の外周部４２Ｂと比較して高温になり易い。
【００２１】
ヒートシンク（クリーングプレート）４８は、例えば、空冷式とされる。このヒートシンク４８は、筐体２２の内部に、基板４２の中央部４２Ａと対向した状態で収容される。このヒートシンク４８によって、基板４２及び基板４２に実装された複数の電子部品４４が冷却される。なお、ヒートシンク４８は、適宜省略可能である。
【００２２】
＜設置台＞
図５に示されるように、設置台７０は、筐体２２の背面２２Ｒ側に装着される。この設置台７０は、例えば、樹脂によって扁平な箱状に形成される。また、設置台７０は、厚み方向を電子機器１０の高さ方向（矢印Ｈ方向）として配置される。この設置台７０は、筐体２２の背面２２Ｒ側に装着された状態で、筐体側コネクタ２６に接続されたケーブル１８を収容可能な収容空間を、筐体２２の背面２２Ｒとの間に有する。
【００２３】
設置台７０は、底壁部７０Ｌと、４つの側壁部７０Ｓとを有する。底壁部７０Ｌは、筐体２２の背面２２Ｒと対向される。この底壁部７０Ｌの外面（筐体２２と反対側の面）７０Ｌ１は、壁１２の壁面１２Ａに設置される。
【００２４】
図６に示されるように、底壁部７０Ｌの外周部には、複数の固定孔７２が形成される。固定孔７２には、図示しないビス等のネジ部材が挿入される。このネジ部材によって、底壁部７０Ｌが壁１２の壁面１２Ａに固定される。
【００２５】
また、底壁部７０Ｌの中央部及び外周部には、ケーブル１８を通す底壁側配線口７４がそれぞれ形成される。これにより、図５に示されるように、設置台７０の底壁部７０Ｌからケーブル１８を引き出し可能とされる。そして、底壁側配線口７４から引き出されたケーブル１８は、例えば、壁１２の壁面１２Ａに形成された貫通孔１３から壁１２の内側へ配線される。
【００２６】
４つの側壁部７０Ｓは、筐体２２の背面２２Ｒから露出する筐体側コネクタ２６に接続されたケーブル１８を囲むように、底壁部７０Ｌの外周部から筐体２２側へ延出される。この４つの側壁部７０Ｓによってケーブル１８を囲むことにより、ケーブル１８が覆い隠される。
【００２７】
なお、設置台７０の内部には、ケーブル１８が屈曲された状態で配線（収容）される。この際、ケーブル１８の曲率が所定値以上になると、ケーブル１８が破損する可能性がある。そこで、本実施形態では、ケーブル１８の曲率が所定値を超えないように、ケーブル１８を収容可能な設置台７０の収容空間（内部空間）の高さｈが設定される。
【００２８】
図６に示されるように、各側壁部７０Ｓの先端部には、爪部７６が形成される。各爪部７６は、筐体２２の背面２２Ｒに形成された引掛け部３２にそれぞれ引っ掛けられる。これにより、筐体２２に設置台７０が着脱可能に取り付けられる。
【００２９】
図７に示されるように、側壁部７０Ｓには、ケーブル１８を通す側壁側配線口７８が形成される。これにより、二点鎖線で示されるように、設置台７０の側壁部７０Ｓからケーブル１８を引き出し可能とされる。また、側壁側配線口７８から引き出されたケーブル１８は、例えば、壁１２の壁面１２Ａに沿って配線される。
【００３０】
なお、底壁側配線口７４及び側壁側配線口７８は、ケーブル１８が挿通される開口の一例である。また、実施形態では、側壁側配線口７８が底壁側配線口７４に接続（連通）されるが、側壁側配線口７８は、底壁側配線口７４に接続（連通）されなくても良い。
【００３１】
＜冷却構造＞
次に、電子機器の冷却構造について説明する。
【００３２】
先ず、機器本体２０の冷却構造について説明する。図４に示されるように、筐体２２の背面２２Ｒの外周部には、複数の背面側通気口５０が形成される。各背面側通気口５０は、矩形状の貫通孔とされる。なお、背面側通気口５０は、筐体２２の背面２２Ｒの中央部に形成されても良い。
【００３３】
また、図７に示されるように、筐体２２の側面２２Ｓには、複数の溝部５２が形成される。複数の溝部５２は、筐体２２の幅方向（矢印Ｗ方向）に延びるとともに、筐体２２の高さ方向（矢印Ｈ方向）に間隔を空けて配置される。これらの溝部５２によって、機器本体２０の意匠性が高められている。また、各側面２２Ｓには、複数の側面側通気口５４が形成される。複数の側面側通気口５４は、各溝部５２に沿って配列される。
【００３４】
さらに、図１に示されるように、筐体２２の正面２２Ｆには、複数の正面側通気口５６が形成される。複数の正面側通気口５６は、筐体２２の正面２２Ｆの中央部及び外周部に形成される。また、各正面側通気口５６は、矩形状の貫通孔とされる。これらの正面側通気口５６と、前述した複数の背面側通気口５０及び側面側通気口５４とを介して、筐体２２の内部が換気される。
【００３５】
ここで、図８に示されるように、筐体２２の内部には、目隠し部の一例としての目隠しフィン５８が設けられる。目隠しフィン５８は、不透明の樹脂等によって形成される。また、目隠しフィン５８は、筐体２２の内部に、側面側通気口５４と対向して配置される。この目隠しフィン５８によって、筐体２２の外部から側面側通気口５４を介して筐体２２の内部が見えないように構成される。
【００３６】
なお、目隠しフィン５８は、支持リブ６０を介して、筐体本体２４の側壁部２４Ｓの内面に接続される。この支持リブ６０によって、側面側通気口５４と目隠しフィン５８との間に、空気が流れる流路が形成される。
【００３７】
また、図５に示されるように、筐体２２の内部には、正面側通気口５６と対向する目隠しフィン６２が設けられる。この目隠しフィン６２によって、筐体２２の外部から正面側通気口５６を介して筐体２２の内部が見えないように構成される。なお、目隠しフィン６２は、目隠し部の一例である。
【００３８】
次に、設置台７０の冷却構造について説明する。図９に示されるように、設置台７０の各側壁部７０Ｓは、傾斜部７０Ｓ１を有する。この傾斜部７０Ｓ１は、筐体２２の背面２２Ｒから離れるに従って設置台７０の中央部側（内側）へ向って、筐体２２の高さ方向（矢印Ｈ方向）に対して傾斜される。つまり、傾斜部７０Ｓ１は、背面２２Ｒから机１６側（矢印Ｇ方向）に向かうに従って設置台７０の中央部側へ向って、筐体２２の高さ方向に対して傾斜される。
【００３９】
図１０に示されるように、各傾斜部７０Ｓ１には、複数の溝部８２が形成される。複数の溝部８２は、各設置台７０の幅方向（矢印Ｗ方向）に延びるとともに、設置台７０の高さ方向（矢印Ｈ方向）に間隔を空けて配置される。これらの溝部８２によって、設置台７０の意匠性が高められる。
【００４０】
また、傾斜部７０Ｓ１は、複数の台側通気口８４が形成される。つまり、台側通気口８４は、傾斜部７０Ｓ１に位置する。複数の台側通気口８４は、各溝部８２に沿って配列される。また、図９に示されるように、各台側通気口８４は、傾斜部７０Ｓ１を筐体２２の背面２２Ｒに沿う方向（矢印Ｍ方向）に貫通する。これらの台側通気口８４を介して、設置台７０の内部が換気される。
【００４１】
なお、各台側通気口８４の大きさは、ケーブル１８が通らない大きさに設定される。具体的には、図１０に示されるように、台側通気口８４の開口幅Ｋ１，Ｋ２は、何れもケーブル１８の外径Ｄ（図５参照）よりも小さく設定される。
【００４２】
また、設置台７０の内部には、台側通気口８４と対向する目隠しフィンが設けられても良い。この場合、目隠し部の一例としての目隠しフィンによって、設置台７０の外部から台側通気口８４を介して設置台７０の内部が見えないよう構成される。なお、ここでいう目隠しフィンには、例えば、前述した目隠しフィン５８（図８参照）と同様の目隠しフィンが用いられる。
【００４３】
次に、本実施形態の作用について説明する。
【００４４】
先ず、電子機器１０が壁１２の壁面１２Ａに設置される場合について説明する。
【００４５】
本実施形態によれば、図４に示されるように、筐体２２の背面２２Ｒに筐体側コネクタ２６が設けられる。この筐体側コネクタ２６には、図５に示されるように、ケーブル側コネクタ３０を介してケーブル１８が接続される。このケーブル１８は、設置台７０の内部を通り、設置台７０の底壁部７０Ｌの底壁側配線口７４から引き出される。そして、底壁側配線口７４から引き出されたケーブル１８は、壁１２の壁面１２Ａに形成された貫通孔１３を介して壁１２の内側に配線される。
【００４６】
そのため、本実施形態では、筐体側コネクタ２６、ケーブル側コネクタ３０、及びケーブル１８が電子機器１０の外部に露出しない。したがって、電子機器１０の意匠性が向上するとともに、筐体側コネクタ２６、ケーブル側コネクタ３０、及びケーブル１８の破損等が抑制される。さらに、例えば、第三者が、筐体側コネクタ２６からケーブル側コネクタ３０を着脱することが抑制される。
【００４７】
また、ケーブル１８を収容する設置台７０の収容空間の高さｈは、ケーブル１８の曲率が所定値を超えないように設定される。これにより、設置台７０の内部において、ケーブル１８が破損することが抑制される。
【００４８】
また、図７に示されるように、設置台７０の各側壁部７０Ｓには、側壁側配線口７８が形成される。これにより、ケーブル１８の配線方法や電子機器１０の設置場所に応じて、設置台７０の側壁側配線口７８からケーブル１８を引き出すことができる。したがって、本実施形態では、ケーブル１８の配線自由度が向上する。
【００４９】
また、図４に示されるように、筐体側コネクタ２６は、筐体２２の背面２２Ｒの外周部に設けられる。ここで、筐体２２の背面２２Ｒの外周部は、当該背面２２Ｒの中央部と比較して温度が低くなり易い。したがって、本実施形態では、筐体側コネクタ２６が筐体２２の背面２２Ｒの中央部に設けられる場合と比較して、筐体側コネクタ２６、ケーブル側コネクタ３０、及びケーブル１８の熱劣化等が抑制される。
【００５０】
ところで、筐体２２の背面２２Ｒに設置台７０が取り付けられると、筐体２２に収容された電子部品４４及び基板４２の冷却性能が低下する可能性がある。
【００５１】
これに対して本実施形態では、図５に示されるように、筐体２２の背面２２Ｒに、複数の背面側通気口５０が形成される。また、電子部品４４等によって加熱された筐体２２の内部の空気は、上昇する。そのため、筐体２２の上部では、矢印ａ１で示されるように、筐体２２の内部の空気が背面側通気口５０を介して設置台７０の内部に排出される。
【００５２】
一方、筐体２２の下部では、矢印ａ２で示されるように、設置台７０の内部の空気が背面側通気口５０を介して筐体２２の内部に供給される。これにより、筐体２２の内部が換気される。したがって、電子部品４４等の冷却性能の低下が抑制される。
【００５３】
また、本実施形態では、筐体２２の正面２２Ｆにも複数の正面側通気口５６が形成される。これにより、筐体２２の上部では、矢印ｂ１で示されるように、筐体２２の内部の空気が正面側通気口５６を介して筐体２２の外部に排出される。一方、筐体２２の下部では、矢印ｂ２で示されるように、筐体２２の外部の空気が、正面側通気口５６を介して筐体２２の内部に供給される。これにより、筐体２２の内部の換気効率、すなわち電子部品４４等の冷却効率が向上する。
【００５４】
さらに、筐体２２の側面２２Ｓには、複数の側面側通気口５４が形成される。これにより、筐体２２の上部では、矢印ｃ１で示されるように、筐体２２の内部に空気が、側面側通気口５４を介して筐体２２の外部に排出される。一方、筐体２２の下部では、矢印ｃ２に示されるように、筐体２２の外部に空気が、側面側通気口５４を介して筐体２２の内部に供給される。したがって、電子部品４４等の冷却効率がさらに向上する。
【００５５】
しかも、本実施形態では、設置台７０の各側壁部７０Ｓに、複数の台側通気口８４が形成される。これにより、設置台７０の上部では、矢印ｄ１で示されるように、設置台７０の内部の空気が、台側通気口８４を介して設置台７０の外部に排出される。一方、設置台７０の下部では、矢印ｄ２に示されるように、設置台７０の外部の空気が、台側通気口８４を介して設置台７０の内部に供給される。したがって、電子部品４４等の冷却効率がさらに向上する。
【００５６】
また、前述したように、基板４２は、中央部の温度が高くなり易い。これに対して本実施形態では、筐体２２の正面２２Ｆの中央部に正面側通気口５６が形成される。これにより、基板４２の中央部を効率的に冷却することができる。
【００５７】
また、本実施形態では、例えば、無線通信のための電波状況に応じて、電子機器１０が種々の向きの設置可能とされる。すなわち、電子機器１０は、アンテナ用コネクタ３４（図１参照）を上側、下側、左側、及び右側の何れの方向へ向けても設置可能とされる。そのため、本実施形態では、設置台７０の４つの側壁部７０Ｓに、複数の台側通気口８４がそれぞれ形成される。これにより、電子機器１０の設置向きを問わずに、設置台７０の内部を効率的に換気することができる。
【００５８】
これと同様に、筐体２２の４つの側面２２Ｓには、複数の側面側通気口５４がそれぞれ形成される。これにより、電子機器１０の設置向きを問わずに、筐体２２の内部を効率的に換気することができる。
【００５９】
次に、電子機器１０が机１６の上面１６Ａに設置された場合について説明する。
【００６０】
図１１に示されるように、電子機器１０が机１６の上面１６Ａに設置される場合には、筐体２２の上部では、矢印ａ１で示されるように、筐体２２の内部の空気が正面側通気口５６及び側面側通気口５４を介して筐体２２の外部へ排出される。
【００６１】
一方、筐体２２の下部では、矢印ａ２で示されるように、設置台７０内の空気が背面側通気口５０を介して筐体２２の内部に供給される。この際、矢印ｂで示されるように、設置台７０の内部には、台側通気口８４を介して設置台７０の外部に空気が供給される。したがって、電子部品４４等の冷却効率が向上する。
【００６２】
また、図９に示されるように、設置台７０の側壁部７０Ｓは、傾斜部７０Ｓ１を有する。傾斜部７０Ｓ１は、筐体２２の背面２２Ｒから離れるに従って設置台７０の中央部側へ向って、筐体２２の高さ方向（矢印Ｈ方向）に対して傾斜される。これにより、矢印ｃで示されるように、設置台７０の外部の空気が、台側通気口８４を介して設置台７０の内部に流入し易くなる。したがって、本実施形態では、二点鎖線で示されるように、側壁部７０Ｓが傾斜しない場合と比較して、設置台７０の内部の換気効率が向上する。
【００６３】
また、例えば、電子機器１０が机１６の上面１６Ａに一時的に置かれる場合は、設置台７０の側壁側配線口７８（図７参照）からケーブル１８を引き出すことで、設置台７０の底壁部７０Ｌを机１６の上面１６Ａに安定して設置することができる。
【００６４】
次に、電子機器１０が天井１４の下面１４Ａに設置された場合について説明する。
【００６５】
図１２に示されるように、電子機器１０が、天井１４の下面１４Ａに設置される場合には、筐体２２の上部では、矢印ａ１で示されるように、筐体２２の内部の空気が背面側通気口５０を介して設置台７０の内部に排出される。また、設置台７０の内部の空気は、矢印ｂで示されるように、台側通気口８４を介して設置台７０の外部に排出される。
【００６６】
一方、筐体２２の下部では、矢印ａ２で示されるように、筐体２２の外部の空気が正面側通気口５６及び側面側通気口５４を介して筐体２２の内部に供給される。したがって、電子部品４４等の冷却効率が向上する。
【００６７】
また、前述したように、設置台７０の側壁部７０Ｓは、傾斜部７０Ｓ１を有する。これにより、図１３に矢印ｃで示されるように、設置台７０の内部の空気が側面側通気口５４を介して設置台７０の外部に排出され易くなる。したがって、本実施形態では、二点鎖線で示されるように、側壁部７０Ｓが傾斜しない場合と比較して、設置台７０の内部の換気効率が向上する。
【００６８】
次に、上記実施形態の変形例について説明する。
【００６９】
図１４Ａ及び図１４Ｂには、電子機器１０が壁１２の壁面１２Ａに設置された状態が示されている。この図１４Ａ及び図１４Ｂに示される変形例では、台側通気口８４は、傾斜部７０Ｓ１を当該傾斜部７０Ｓ１の厚み方向（矢印Ｔ方向）に貫通する。この場合、設置台７０の上部では、図１４Ａに矢印ｄ１で示されるように、筐体２２の背面側通気口５０から設置台７０の内部に排出された空気（矢印ａ１）が、台側通気口８４から設置台７０の外部に排出され易くなる。
【００７０】
一方、設置台７０の下部では、図１４Ｂに矢印ｄ２で示されるように、設置台７０の外部から設置台７０の内部に供給された空気が、筐体２２の背面側通気口５０へ流れ易くなる。したがって、電子部品４４等の冷却効率がさらに向上する。
【００７１】
これと同様に、図１５に示されるように、電子機器１０が机１６の上面１６Ａに設置される場合には、矢印ｂで示されるように、設置台７０の外部の空気が、台側通気口８４を介して筐体２２の背面側通気口５０側へ流れ易くなる。したがって、電子部品４４等の冷却効率がさらに向上する。
【００７２】
また、図１６に示されるように、電子機器１０が天井１４の下面１４Ａに設置される場合には、矢印ｂで示されるように、設置台７０の内部の空気が、台側通気口８４を介して筐体２２の外部へ排出され易くなる。したがって、電子部品４４等の冷却効率がさらに向上する。
【００７３】
次に、上記実施形態では、機器本体２０の筐体２２に、背面側通気口５０、正面側通気口５６、及び側面側通気口５４が形成される。しかしながら、正面側通気口５６及び側面側通気口５４は、適宜省略可能である。また、筐体２２には、背面側通気口５０及び正面側通気口５６の少なくとも一方を形成することができる。
【００７４】
また、上記実施形態では、設置台７０に台側通気口８４が形成される。しかしながら、台側通気口８４は、適宜省略可能である。
【００７５】
また、上記実施形態では、設置台７０の側壁部７０Ｓに傾斜部７０Ｓ１が設けられる。しかしながら、傾斜部７０Ｓ１は、適宜省略可能である。つまり、設置台７０の側壁部７０Ｓは、筐体２２の高さ方向（矢印Ｈ方向）に沿って形成されても良い。また、側壁部７０Ｓの傾斜部は、筐体２２の背面２２Ｒから離れるに従って設置台７０の外側へ向って、筐体２２の高さ方向に対して傾斜されても良い。
【００７６】
また、上記実施形態では、筐体２２の内部に目隠しフィン５８が設けられるが、目隠しフィン５８は、適宜省略可能である。
【００７７】
また、上記実施形態では、設置台７０に、底壁側配線口７４及び側壁側配線口７８が形成される。しかしながら、底壁側配線口７４及び側壁側配線口７８の何れか一方が省略されても良い。
【００７８】
また、底壁側配線口７４は、設置台７０の底壁部７０Ｌの中央部、左側外周部、右側外周部、上側外周部、及び下側外周部の何れか、又は底壁部７０Ｌの中央部、左側外周部、右側外周部、上側外周部、及び下側外周部の２つ以上に位置させることができる。また、側壁側配線口７８は、４つの側壁部７０Ｓの何れか、又は４つの側壁部７０Ｓの２以上に位置させることができる。
【００７９】
また、上記実施形態では、設置台７０の内部には、通信用のケーブル１８が収容されるが、例えば、電源用のケーブル等が収容されても良い。
【００８０】
また、上記実施形態では、電子機器１０が、壁１２の壁面１２Ａ、天井１４の下面１４Ａ、及び机１６の上面１６Ａ等の種々の設置面に設置可能とされる。しかしながら、電子機器１０は、特定の設置面に対して設置可能とされても良い。また、上記実施形態では、電子機器１０が携帯可能とされるが、電子機器１０は据え付け型とされても良い。
【００８１】
さらに、上記実施形態に係る電子機器１０は、無線基地局に限らず、例えば、ルータ、スイッチ、及びハブ等のネットワーク機器やゲーム機器等としても実施可能である。
【００８２】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００８３】
なお、以上の実施形態に関し、さらに以下の付記を開示する。
【００８４】
（付記１）
電子部品と、
前記電子部品を収容し、前記電子部品と電気的に接続されたコネクタが露出する背面を有する筐体と、
前記コネクタが露出する前記背面側に装着された状態で、前記コネクタに接続されるケーブルを収容可能な収容空間を前記背面との間に有する設置台と、
を備え、
前記背面は、背面側通気口を有する、
ことを特徴とする、電子機器。
（付記２）
前記背面側通気口の開口幅は、前記ケーブルの外径よりも小さい、
ことを特徴とする、付記１に記載の電子機器。
（付記３）
前記筐体における前記コネクタが露出する面に対向する正面は、正面側通気口を有する、
ことを特徴とする、請求項１に記載の電子機器。
（付記４）
前記正面側通気口の開口幅は、前記ケーブルの外径よりも小さい、
ことを特徴とする、付記３に記載の電子機器。
（付記５）
前記正面側通気口は、少なくとも前記筐体の前記正面の中央部に複数位置する、
ことを特徴とする、付記３又は付記４に記載の電子機器。
（付記６）
前記筐体の側面は、側面側通気口を有する、
ことを特徴とする、付記１〜付記５の何れか１つに記載の電子機器。
（付記７）
前記設置台は、前記ケーブルを囲む側壁部を有し、
前記側壁部は、台側通気口を有する、
ことを特徴とする、付記１〜付記６の何れか１つに記載の電子機器。
（付記８）
前記側壁部は、前記背面から離れるに従って前記設置台の中央部側へ向って傾斜する傾斜部を有し、
前記台側通気口は、前記傾斜部に位置する、
ことを特徴とする、付記７に記載の電子機器。
（付記９）
前記台側通気口は、前記傾斜部を該傾斜部の厚み方向に貫通した、
ことを特徴とする、付記８に記載の電子機器。
（付記１０）
前記台側通気口の開口幅は、前記ケーブルの外径よりも小さい、
ことを特徴とする、付記７〜付記９の何れか１つに記載の電子機器。
（付記１１）
前記設置台の内部に設けられ、前記台側通気口と対向する目隠し部を備える、
ことを特徴とする、付記７〜付記１０の何れか１つに記載の電子機器。
（付記１２）
前記設置台は、互いに対向する一対の前記側壁部を有し、
一対の前記側壁部は、前記台側通気口をそれぞれ有する、
ことを特徴とする、付記７〜付記１１の何れか１つに記載の電子機器。
（付記１３）
前記側壁部は、前記ケーブルが挿通される開口を有する、
ことを特徴とする、付記７〜付記１２の何れか１つに記載の電子機器。
（付記１４）
前記設置台は、前記背面と対向するとともに、外面が設置面に設置される底壁部を有し、
前記底壁部は、前記ケーブルが挿通される開口を有する、
ことを特徴とする、付記１〜付記１３の何れか１つに記載の電子機器。
（付記１５）
前記開口は、前記底壁部の中央部、左側外周部、右側外周部、上側外周部、及び下側外周部の何れか、又は前記中央部、前記左側外周部、前記右側外周部、前記上側外周部、及び前記下側外周部の２つ以上に位置する、
ことを特徴とする、付記１４に記載の電子機器。
（付記１６）
前記設置台は、４つの前記側壁部を有し、
４つの前記側壁部の何れか、又は４つの前記側壁部の２つ以上は、前記ケーブルが挿通される開口を有する、
ことを特徴とする、付記７〜付記１２の何れか１つに記載の電子機器。
（付記１７）
前記底壁部は、該底壁部を前記設置面に固定するネジ部材が挿入される固定孔を有する、
ことを特徴とする、付記１４又は付記１５に記載の電子機器。
（付記１８）
前記背面は、該筐体の厚み方向一方側の外面とされる、
ことを特徴とする、付記１〜付記１７の何れか１つに記載の電子機器。
（付記１９）
前記電子部品が実装されるとともに、前記筐体の内部に該筐体の厚み方向を板厚方向として収容される基板を備える、
ことを特徴とする、付記１〜付記１８の何れか１つに記載の電子機器。
（付記２０）
前記コネクタは、前記背面の外周部に位置する、
ことを特徴とする、付記１〜付記１９の何れか１つに記載の電子機器。
（付記２１）
前記筐体には、前記電子部品を冷却するヒートシンクが収容される、
ことを特徴とする、付記１〜付記２０の何れか１つに記載の電子機器。
（付記２２）
前記電子機器は、無線基地局とされる、
ことを特徴とする、付記１〜付記２１の何れか１つに記載の電子機器。
【符号の説明】
【００８５】
１０      電子機器
１２      壁
１２Ａ    壁面（設置面の一例）
１４      天井
１４Ａ    下面（設置面の一例）
１６      机
１６Ａ    上面（設置面の一例）
１８      ケーブル
２２      筐体
２２Ｆ    正面
２２Ｒ    背面
２２Ｓ    側面
２６      筐体側コネクタ
４２      基板
４４      電子部品
４８      ヒートシンク
５０      背面側通気口
５４      側面側通気口
５６      正面側通気口
５８      目隠しフィン（目隠し部の一例）
７０      設置台
７０Ｌ    底壁部（設置台の底壁部の一例）
７０Ｌ１  外面（設置台底壁部の外面の一例）
７０Ｓ  側壁部（設置台の側壁部の一例）
７０Ｓ１  傾斜部
７２      固定孔
７４      底壁側配線口（開口の一例）
７８      側壁側配線口（開口の一例）
８４      台側通気口
Ｄ        外径（ケーブルの外径の一例）
Ｋ１      開口幅（台側通気口の開口幅の一例）
Ｋ２      開口幅（台側通気口の開口幅の一例）
Ｈ        矢印（筐体の厚み方向の一例）
Ｔ        矢印（傾斜部の厚み方向の一例）
【図１】
2017135349.tif 000003
【図２】
2017135349.tif 000004
【図３】
2017135349.tif 000005
【図４】
2017135349.tif 000006
【図５】
2017135349.tif 000007
【図６】
2017135349.tif 000008
【図７】
2017135349.tif 000009
【図８】
2017135349.tif 000010
【図９】
2017135349.tif 000011
【図１０】
2017135349.tif 000012
【図１１】
2017135349.tif 000013
【図１２】
2017135349.tif 000014
【図１３】
2017135349.tif 000015
【図１４Ａ】
2017135349.tif 000016
【図１４Ｂ】
2017135349.tif 000017
【図１５】
2017135349.tif 000018
【図１６】
2017135349.tif 000019